(57)【要約】      （修正有）【課題】内部に収納スペースが設けられ、強固な構成を有する加熱調理器を提供する。【解決手段】加熱調理器は、箱状の本体と、本体の上部に配設されたトッププレートとを備える。本体の内部に、開口部６０Ａを有する箱状の収納室６０が配設される。収納室の開口部は本体の前面側に位置している。引出は収納室の開口部を介して収納室に出し入れ自在に設けられる。樹脂で成形されたスペーサ９０が収納室の上部の外周面に配設されている。スペーサは、収納室の一対の側面を把持するよう取り付けられている。【選択図】図８
2018169114.tif 000002
【特許請求の範囲】
【請求項１】
箱状の本体と、
前記本体の上部に配設されたトッププレートとを備えた加熱調理器であって、
前記本体の内部に配設され、開口部を有する箱状の収納室であって、前記開口部が前記本体の前面側に位置している収納室と、
前記開口部を介して収納室に出し入れ自在に設けられる引出と、
前記引出に取り付けられ、前記引出が前記収納室に収納された状態で前記開口部を閉じ、前記本体の前面側に配設されている前面パネルと並置される扉と、
樹脂で成形され、前記収納室の上部の外周面に配設されたスペーサとを有し、
前記スペーサは、前記収納室の上面及び前記開口部と交差する一対の側面を把持するよう取り付けられている加熱調理器。
【請求項２】
前記収納室において前記開口部が形成されている端部の縁部の上方に配設され、前記本体の骨格を構成している枠体を有し、
前記スペーサは、前記収納室の上面と前記枠体の下面とで挟持されている請求項１に記載の加熱調理器。
【請求項３】
前記スペーサは、長尺部材であるスペーサ本体と、前記スペーサ本体の長手方向の両端部において前記スペーサ本体と交差する方向に延びる一対の把持部とを有し、
前記スペーサは、前記スペーサ本体が前記収納室の上面に当接し、前記一対の把持部が前記収納室の前記一対の側面の外周面に当接し、かつ前記側面に沿って鉛直方向に延びるよう配設されている請求項２に記載の加熱調理器。
【請求項４】
前記スペーサは、前記枠体に固定されている請求項２又は３に記載の加熱調理器。
【請求項５】
前記スペーサには弾性体が取り付けられている請求項１〜４のいずれか一項に記載の加熱調理器。
【発明の詳細な説明】
【技術分野】
【０００１】
本発明は、トッププレートに被加熱物を載置して加熱する加熱調理器に関する。
【背景技術】
【０００２】
従来、加熱調理器は本体と本体の上面に配設された天板とを有している。そして、加熱手段として、天板の下部に配設された加熱コイルと、本体内部に収容されたグリル庫とを有している。本体の前面においてグリル庫の開口部にはグリル扉が配設されている。グリル扉はグリル庫の開口部に対して開閉自在に取り付けられている（例えば、特許文献１及び特許文献２）。
【先行技術文献】
【特許文献】
【０００３】
【特許文献１】特開２０１５−１５５７７８号公報
【特許文献２】特開２００６−２１０１４６号公報
【発明の概要】
【発明が解決しようとする課題】
【０００４】
グリル庫は本体内部に収容されているため、グリル庫の内部全体を清掃するのは困難である。そのため、調理後のグリル庫の手入れが使用者の負担になっており、近年ではグリル庫を使用した調理は敬遠される傾向がある。そこで、加熱調理器の本体内部のスペースを有効活用するため、グリル庫を収納スペースとすることが考えられる。しかしながら、内部で加熱調理をするため強固な部材で構成されているグリル庫を外してしまうと、本体の構成が脆弱となる可能性が生じる。
【０００５】
本発明は、上述のような課題を背景としてなされたものであり、内部に収納スペースが設けられ、強固な構成を有する加熱調理器を提供することを目的としている。
【課題を解決するための手段】
【０００６】
本発明に係る加熱調理器は、箱状の本体と、前記本体の上部に配設されたトッププレートとを備えた加熱調理器であって、前記本体の内部に配設され、開口部を有する箱状の収納室であって、前記開口部が前記本体の前面側に位置している収納室と、前記開口部を介して収納室に出し入れ自在に設けられる引出と、前記引出に取り付けられ、前記引出が前記収納室に収納された状態で前記開口部を閉じ、前記本体の前面側に配設されている前面パネルと並置される扉と、樹脂で成形され、前記収納室の上部の外周面に配設されたスペーサとを有し、前記スペーサは、前記収納室の上面及び前記開口部と交差する一対の側面を把持するよう取り付けられている。
【発明の効果】
【０００７】
本発明によれば、スペーサにより収納室の一対の側面を把持しているため、加熱調理器を強固な構成とすることができ、収納室及び収納室の開口部の変形が抑制される。その結果、引出を収納室に出し入れが安定的に行われ、不快な異音の発生が抑制される。また、引出を収納室に収納したとき、扉の位置のずれが抑制される。その結果、加熱調理器の前面における意匠性を良好に保つことができる。
【図面の簡単な説明】
【０００８】
【図１】本発明の実施の形態に係る加熱調理器の斜視図である。
【図２】本発明の実施の形態に係る加熱調理器の分解斜視図である。
【図３】本発明の実施の形態に係る加熱調理器の本体ケースの斜視図である。
【図４】本発明の実施の形態に係る加熱調理器の本体の分解斜視図である。
【図５】本発明の実施の形態に係るスペーサの斜視図である。
【図６】本発明の実施の形態に係るスペーサの斜視図である。
【図７】本発明の実施の形態に係るスペーサの側面図である。
【図８】本発明の実施の形態に係る加熱調理器の収納室の斜視図である。
【図９】本発明の実施の形態に係る加熱調理器の断面図である。
【図１０】本発明の実施の形態に係る加熱調理器の変形例を模式的に示す図である。
【図１１】本発明の実施の形態に係る加熱調理器の変形例を模式的に示す図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ、形状は、説明のためにわかりやすく表しており、実際の大きさ、形状と異なる場合がある。
【００１０】
実施の形態．
図１は、本発明の実施の形態に係る加熱調理器の斜視図である。図２は、本発明の実施の形態に係る加熱調理器の分解斜視図である。本明細書では、加熱調理器において使用者が調理をする際に立つ側を前方、使用者から遠い側を後方とする。また、本明細書において、左右とは、加熱調理器を前方から見た場合の左右を指すものとする。加熱調理器１は、箱状の本体１０とトッププレート２０と前面パネル３０とを有している。トッププレート２０は、本体１０の上部の開口部に配設されている。トッププレート２０の後縁部には排気口カバー２１が配設されている。トッププレート２０の下部には加熱コイル４１及び加熱コイル４２が配設されている。加熱コイル４１と加熱コイル４２は上下仕切り板５０に載置されている。前面パネル３０は、本体１０の前面において右側に配設されている。本体１０の内部において左側には収納室６０が設けられている。収納室６０は箱状の部材であり開口部６０Ａを有している。収納室６０は開口部６０Ａが加熱調理器１の前面側に位置するよう配置されている。収納室６０の上面６０Ｕ及び開口部６０Ａと交差する一対の側部のうち、右側面６０Ｒは加熱調理器１の前側から見て右に位置し、左側面６０Ｌは左に位置している。引出７０は開口部６０Ａを介して収納室６０に出し入れ自在のトレー状の部材であり、矩形を呈している。扉８０は引出７０の１つの側面に取り付けられている。図１に示すように、引出７０が収納室６０に収納された状態で開口部６０Ａを閉じ、前面パネル３０と並置されるよう、扉８０は引出７０に取り付けられている。扉８０の下部には把手８１が設けられている。本体１０の内部において右側には、加熱調理器１を制御する制御基板、冷却ファンが配設されている。
【００１１】
図３は、本発明の実施の形態に係る加熱調理器の本体ケースの斜視図である。図４は、本発明の実施の形態に係る加熱調理器の本体の分解斜視図である。本体１０の本体ケース１０Ａは、底面１１と、背面外郭１２と、右外郭１３と、左外郭１４と、横仕切り板１５と、枠体１６とを有している。底面１１は矩形の薄板状の部材である。底面１１、背面外郭１２、右外郭１３、左外郭１４、横仕切り板１５、及び枠体１６は剛性の高い金属材料から成っている。右外郭１３は、底面１１の一対の短辺のうちの一方の短辺から上方に延びるよう設けられ、左外郭１４は、底面１１の一対の短辺のうちの他方の短辺から上方に延びるよう設けられている。加熱調理器１を前面から見たとき、右外郭１３は右側に、左外郭１４は左側に位置している。横仕切り板１５は、底面１１の左右方向の中央近傍において、上方に延びるよう配設されている。収納室６０は底面１１の上に固定される。
【００１２】
図４に示すように、右外郭１３において前面側の上端部には、矩形の切り欠き１３Ａが形成されている。左外郭１４において前面側の上端部には、矩形の切り欠き１４Ａが形成されている。横仕切り板１５において前面側の上端部には、矩形の切り欠き１５Ａが形成されている。枠体１６は長尺部材であり、その横断面形状はＵ字型を呈している。枠体１６の長手方向の両端部の一方の端部が右外郭１３の切り欠き１３Ａに係合し、他方の端部が左外郭１４の切り欠き１４Ａに係合し、長手方向の中央部近傍が横仕切り板１５の切り欠き１５Ａに係合するよう、枠体１６は配設されている。これにより、枠体１６は、収納室６０において開口部６０Ａが形成されている端部の縁部の上方に配設され、図３に示すように加熱調理器１の本体１０の骨格を構成している。本体１０において、収納室６０は、背面外郭１２と左外郭１４と横仕切り板１５とで形成されている本体ケース１０Ａの空間に配設されている。収納室６０と枠体１６との間には、スペーサ９０が配設されている。
【００１３】
図５は、本発明の実施の形態に係るスペーサの斜視図である。図６は、本発明の実施の形態に係るスペーサの斜視図である。図７は、本発明の実施の形態に係るスペーサの側面図である。図５は、スペーサ９０を上面から示し、図６は、スペーサ９０を下面から示している。スペーサ９０は剛性の低い樹脂から成る長尺部材である。スペーサ９０は、長手方向に延びるスペーサ本体９１と、一対の把持部９２、９３とを有している。一対の把持部９２、９３は、スペーサ本体９１の長手方向の両端部に設けられている。図７に示すように、把持部９２は、スペーサ本体９１の長手方向の両端部のうちの一方の端部において、スペーサ本体９１と交差する方向に延びている。また、図７に示すように、把持部９３は、スペーサ本体９１の長手方向の両端部のうちの他方の端部において、スペーサ本体９１と交差する方向に延びている。
【００１４】
スペーサ本体９１は第１凸部９１Ａと、第２凸部９１Ｂと、第３凸部９１Ｃとを有している。第１凸部９１Ａは、スペーサ本体９１の長手方向の中央部に形成されている。図５及び図６に示すように、第１凸部９１Ａ及び第２凸部９１Ｂにおいて、スペーサ本体の長手方向と直交する方向の長さは、スペーサ本体９１の短手方向の長さと一致している。第２凸部９１Ｂは把持部９２と連続して形成されている。第３凸部９１Ｃにおいて、スペーサ本体の長手方向と直交する方向の長さは、スペーサ本体９１の短手方向の長さよりも長い。すなわち、第３凸部９１Ｃには、スペーサ本体９１において長手方向に延びる一対の側辺部のうちの一方の側辺部から外方に向けて延出している延出部９１Ｄが形成されている。把持部９３は、延出部９１Ｄと連続して形成されている。すなわち、スペーサ９０の把持部９２と把持部９３は、スペーサ本体９１の長手方向においてオフセットしている。
【００１５】
第１凸部９１Ａと第２凸部９１Ｂとの間は切り欠かれており、切り欠き部９１Ｅが形成されている。第１凸部９１Ａと第３凸部９１Ｃとの間は切り欠かれており、切り欠き部９１Ｆが形成されている。
【００１６】
図５に示すように、第２凸部９１Ｂは、短手方向に延びる補強壁９４を残して内部がくり抜かれた構成を有している。延出部９１Ｄは、対角線上に延びる補強壁９５を残してくり抜かれた構成を有している。図６に示すように第３凸部９１Ｃは、対角線上に延びる補強壁９６を残してくり抜かれた構成を有している。把持部９２はスペーサ本体９１と直交する方向に延びる補強壁９７を残してくり抜かれた構成を有している。尚、把持部９３も、補強壁９７と同様の補強壁を残してくり抜かれた構成を有している。第１凸部９１Ａは、スペーサ本体９１の短手方向に延びる補強壁９８を残してくり抜かれた構成を有している。補強壁９８の中央部には円筒部９９が形成されている。円筒部９９の軸芯にはネジ穴９９Ａが形成されている。図５及び図６から明らかなように、ネジ穴９９Ａはスペーサ本体９１を貫通している。
【００１７】
第１凸部９１Ａ、第２凸部９１Ｂ、第３凸部９１Ｃ、延出部９１Ｄ、切り欠き部９１Ｅ、切り欠き部９１Ｆ、把持部９２、及び把持部９３のそれぞれの肉厚は同一である。第１凸部９１Ａ、補強壁９４、及び円筒部９９の肉厚は同一である。第２凸部９１Ｂと補強壁９４の肉厚は同一である。第３凸部９１Ｃと補強壁９６の肉厚は同一である。把持部９２と補強壁９７の肉厚は同一である。把持部９３と上述の補強壁の肉厚は同一である。すなわち、スペーサ本体９１の各部はそれぞれの肉厚が同一の薄さで形成されている。
【００１８】
図８は、本発明の実施の形態に係る加熱調理器の収納室の斜視図である。スペーサ９０は、収納室６０の上部の外周面、すなわち、収納室６０の上面６０Ｕにおいて、収納室６０の開口部６０Ａ側の縁部に配設されている。第１凸部９１Ａ、第２凸部９１Ｂ、及び第３凸部９１Ｃは、収納室６０の上面６０Ｕの外周面に当接し、かつ、把持部９２は収納室６０の右側面６０Ｒの外周面に当接し、上述の把持部９３は収納室６０の左側面６０Ｌの外周面に当接している。スペーサ９０は、収納室６０の開口部６０Ａの上縁部に、収納室６０の上面６０Ｕ及び開口部６０Ａと交差する一対の側面６０Ｒ、６０Ｌを把持部９２及び把持部９３で横方向から挟み込むように取り付けられている。
【００１９】
図９は、本発明の実施の形態に係る加熱調理器の断面図である。図９は、加熱調理器１がキッチンカウンタ１００に据え付けられている状態を示している。スペーサ９０は、収納室６０の上面６０Ｕと枠体１６の下面との間に配設され、収納室６０と枠体１６により挟持されている。これにより、スペーサ９０の上下方向における位置のずれが抑制されている。
【００２０】
ここで、本実施の形態の効果について説明する。上述のように枠体１６は加熱調理器１の本体１０の骨格を構成する部材であり、剛性の高い金属から成っている。一方、スペーサ９０は剛性の低い樹脂から成っている。従って、図９に示す状態で、収納室６０には下方に押し下げる方向に付勢力が作用する。収納室６０が本体１０の底面１１の上に固定される。ここで、収納室６０が変形し、収納室６０の開口部６０Ａが上下方向に変位する場合があっても、収納室６０を下方に押し下げる付勢力により、収納室６０の開口部６０Ａは、上下方向において一定の位置に維持される。また、スペーサ９０の上面側を保持する枠体１６が剛性の高い部材であるため、収納室６０の左右方向から把持しているスペーサ９０は強固に保持されている。その結果、収納室６０の右側面６０Ｒ及び左側面６０Ｌが左右方向に変形することが防止される。さらに、枠体１６及びスペーサ９０は、収納室６０の上部において開口部６０Ａ側の縁部に配設されているため、収納室６０の開口部６０Ａの矩形の形状が長方形から菱形に変形することが防止される。
【００２１】
このように、収納室６０の上下方向及び左右方向における位置が維持され、さらには開口部６０Ａの変形が防止されるため、引出７０を加熱調理器１の前後方向に沿って出し入れするとき安定的に移動させることができ、引出７０の外側の側面と収納室６０の内側の側面との衝突や摩擦が抑制される。その結果、引出７０の不要な揺れが抑制され、不快な異音の発生が防止されると共に、引出７０に載置された収納物に不要な外力が加わることが防止される。また、引出７０を収納室６０に収納し、扉８０で開口部６０Ａを閉じる時の扉８０の上下方向における位置、及び傾きを安定させることができる。その結果、前面パネル３０との位置合わせが容易となり、加熱調理器１の前面側の意匠性を良好に保つことができる。
【００２２】
また、スペーサ９０の第１凸部９１Ａ、第２凸部９１Ｂ、及び第３凸部９１Ｃにより、収納室６０の上面６０Ｕと、枠体１６の上面に載置される上下仕切り板５０の下面との間の距離は一定に保たれる。従って、加熱コイル４１の熱が上下仕切り板５０に伝わっても、収納室６０の内部の温度は一定以上に高くなることはない。その結果、収納室６０内部の収納物に対し温度上昇による影響を与えることがない。
【００２３】
スペーサ９０は樹脂から成っているため、枠体１６と収納室６０とで挟持しても、枠体１６及び収納室６０が変形することがない。従って、本体１０を所望の形状にすることができる。
【００２４】
また、剛性の低いスペーサ９０を剛性の高い枠体１６と収納室６０とで挟持する構成を有しているため、スペーサ９０には多少の変形が生じる。従って、スペーサ９０が枠体１６と収納室６０により挟持された状態で把持部９２及び把持部９３で収納室６０の右側面６０Ｒ及び左側面６０Ｌを把持するよう成形することにのみ留意すればよい。換言すると、スペーサ９０には精密な成形が必要とされず、量産が容易である。
【００２５】
図１０は、本発明の実施の形態に係る加熱調理器の変形例を模式的に示す図である。構成を明確にするため、図１０において一部の部材は線分で示されている。スペーサ９０は、枠体１６にネジ１０１で固定されている。ネジ１０１は、図５及び図６を参照して説明したネジ穴９９Ａに嵌合している。スペーサ９０を枠体１６に強固に固定することにより、上述の上下方向の動きの防止に加え、前後左右方向の動きも防止される。従って、収納室６０及び開口部６０Ａの変形がより効果的に防止される。
【００２６】
また、ネジ１０１は枠体１６の側から取り付けられているため、収納室６０の内周面に使用者の手及び指が触れる突起物が形成されることはない。さらに、ネジ１０１はネジ穴９９Ａを貫通しないよう嵌合している。従って、収納室６０の上面６０Ｕの内周面にネジ１０１の先端が露出することはなく、使用者の手及び指が、ネジ１０１の先端に接触することが防止されている。
【００２７】
図１１は、本発明の実施の形態に係る加熱調理器の変形例を模式的に示す図である。構成を明確にするため、図１１において一部の部材は線分で示されている。スペーサ９０の下面には弾性体１０２が取り付けられており、弾性体１０２は収納室６０の上面６０Ｕと当接している。弾性体１０２をスペーサ９０と収納室６０との間に介在させることにより、引出７０を出し入れするときにおける上述の防振効果をさらに高めることができる。尚、弾性体１０２をスペーサ９０の上面に取り付け、枠体１６と当接させてもよい。この場合も、上述の防振効果をさらに高めることができる。
【符号の説明】
【００２８】
１  加熱調理器、１０  本体、１０Ａ  本体ケース、１１  底面、１２  背面外郭、１３  右外郭、１３Ａ  切り欠き、１４  左外郭、１４Ａ  切り欠き、１５  横仕切り板、１５Ａ  切り欠き、１６  枠体、２０  トッププレート、２１  排気口カバー、３０  前面パネル、４１  加熱コイル、４２  加熱コイル、５０  上下仕切り板、６０  収納室、６０Ａ  開口部、６０Ｌ  左側面、６０Ｒ  右側面、６０Ｕ  上面、７０  引出、８０  扉、８１  把手、９０  スペーサ、９１  スペーサ本体、９１Ａ  第１凸部、９１Ｂ  第２凸部、９１Ｃ  第３凸部、９１Ｄ  延出部、９１Ｅ  切り欠き部、９１Ｆ  切り欠き部、９２  把持部、９３  把持部、９４  補強壁、９５  補強壁、９６  補強壁、９７  補強壁、９８  補強壁、９９  円筒部、９９Ａ  ネジ穴、１００  キッチンカウンタ、１０１  ネジ、１０２  弾性体。
【図１】
2018169114.tif 000003
【図２】
2018169114.tif 000004
【図３】
2018169114.tif 000005
【図４】
2018169114.tif 000006
【図５】
2018169114.tif 000007
【図６】
2018169114.tif 000008
【図７】
2018169114.tif 000009
【図８】
2018169114.tif 000010
【図９】
2018169114.tif 000011
【図１０】
2018169114.tif 000012
【図１１】
2018169114.tif 000013